(57)【要約】【課題】ドレン水を発生させる補助熱交換器と、ドレン水を中和する中和部とを１つの熱交ケース内に備えて一体とした潜熱回収型給湯機を提供する。【解決手段】燃焼バーナ２の燃焼で発生する排ガスから顕熱回収して流水を加熱する主熱交換器５と、この主熱交換器５と熱交換後の排ガスから潜熱回収して加熱した流水を該主熱交換器５へ供給する補助熱交換器１１と、前記補助熱交換器１１を収納し排ガスの流入口１２と排気口７を設けた熱交ケース８とを備えたもので、前記熱交ケース８内で補助熱交換器１１の下部には、該補助熱交換器１１で発生する強酸性のドレン水を中和する中和剤１５を充填した中和部１６を設けたことにより、捕集用の器具や構成が不用でしかも漏れの心配もなく直接ドレン水を受けて確実に中和することが出来るものである。【選択図】図２
2010276226.tif 000002
【特許請求の範囲】
【請求項１】
燃焼バーナの燃焼で発生する排ガスから顕熱回収して流水を加熱する主熱交換器と、この主熱交換器と熱交換後の排ガスから潜熱回収して加熱した流水を該主熱交換器へ供給する補助熱交換器と、前記補助熱交換器を収納し排ガスの流入口と排気口を設けた熱交ケースとを備えたものに於いて、前記熱交ケース内で補助熱交換器の下部には、該補助熱交換器で発生する強酸性のドレン水を中和する中和剤を充填した中和部を設けた事を特徴とする潜熱回収型給湯機。
【請求項２】
前記熱交ケース内には、上方開口の第１邪魔板と下方開口の第２邪魔板とで蛇行路が形成され、更に第２邪魔板の下流側の中和部には仕切板が設けられ、上流側中和部と下流側中和部に区画され、前記仕切板上方には排ガスによって吹き飛ばされたドレン水を上流側中和部に戻すドレン受板を備えた事を特徴とする請求項１記載の潜熱回収型給湯機。
【発明の詳細な説明】
【技術分野】
【０００１】
この発明は、強酸性のドレン水を中和して排水するドレンの中和部を有した潜熱回収型給湯機に関するものである。
【背景技術】
【０００２】
従来よりこの種のものでは、燃焼後の排ガスと潜熱回収用の補助熱交換器との熱交換により、露点以下に排ガスが温度低下することで発生するドレン水を、中和剤を充填したドレン中和槽内に流通させることで中和して排水するものであった。
【先行技術文献】
【特許文献】
【０００３】
【特許文献１】特許第３５３９２５２号公報
【発明の概要】
【発明が解決しようとする課題】
【０００４】
ところでこの従来のものでは、補助熱交換器と中和槽を給湯機の本体内に収納するもので、どうしても器具全体が大きくなり、しかも補助熱交換器で発生するドレン水を中和槽で中和する関係から、２つを離して別々に取り付けることが出来ず、２つは出来るだけ接近させて取り付ける必要があり、コンパクト化の妨げとなるものであった。
【課題を解決するための手段】
【０００５】
この発明は上記課題を解決する為に、特にその構成を、請求項１では、燃焼バーナの燃焼で発生する排ガスから顕熱回収して流水を加熱する主熱交換器と、この主熱交換器と熱交換後の排ガスから潜熱回収して加熱した流水を該主熱交換器へ供給する補助熱交換器と、前記補助熱交換器を収納し排ガスの流入口と排気口を設けた熱交ケースとを備えたものに於いて、前記熱交ケース内で補助熱交換器の下部には、該補助熱交換器で発生する強酸性のドレン水を中和する中和剤を充填した中和部を設けたものである。
【０００６】
又請求項２では、前記熱交ケース内には、上方開口の第１邪魔板と下方開口の第２邪魔板とで蛇行路が形成され、更に第２邪魔板の下流側の中和部には仕切板が設けられ、上流側中和部と下流側中和部に区画され、前記仕切板上方には排ガスによって吹き飛ばされたドレン水を上流側中和部に戻すドレン受板を備えたものである。
【発明の効果】
【０００７】
以上のようにこの発明によれば、潜熱回収用の補助熱交換器を内装する熱交ケース内の下部に中和剤を充填して中和部を備えたことで、補助熱交換器と中和部を１つのケース内に収めることが出来、器具全体をコンパクトにまとめることが出来ると共に、取扱いやすく、又ドレン水の漏れの心配もなく取り付けが簡単に行われるものであり、更に中和剤による中和は、温度が高い程効率が良くなるので、補助熱交換器の近傍では常に良好な中和を得ることが出来るものであり、又補助熱交換器で発生するドレン水は直接中和部に供給されるので、捕集用の器具や構成が不用でしかも漏れの心配もなく直接ドレン水を受けて確実に中和することが出来るものである。
【０００８】
又請求項２によれば、排ガスの送風力で吹き飛ばされたドレン水が、そのまま排出されることなく確実に上流側中和部に戻され確実に中和されるので、中和されることなくドレン水が排水される心配がなく、安心して使用出来るものであり、しかもドレン受板は排気経路より外れた位置に設けられているから、排気の邪魔になることもないものである。
【図面の簡単な説明】
【０００９】
【図１】この発明の一実施形態を示す潜熱回収型給湯機の概略構成図。
【図２】同熱交ケースの説明図。
【発明を実施するための形態】
【００１０】
次にこの発明の一実施形態を図面に基づいて説明する。
１は給湯機本体で、内方には上端にガンタイプ式の燃焼バーナ２と燃焼ファン３を下向きに取り付けた燃焼室４が備えられており、更にこの燃焼室４内には燃焼バーナ２の排ガスの顕熱回収用の主熱交換器５が備えられている。
【００１１】
６は燃焼室４の底部を一端に連通する消音用のサイレンサで、他端には上部に排気口７を有するステンレス材で箱状に形成された熱交ケース８が連通し、燃焼室４からの排ガスをサイレンサ６でＵターンさせて熱交ケース８を介して排気口７から燃焼ファン３の送風力で排出するものである。
【００１２】
前記熱交ケース８内には、上方開口の第１邪魔板９と下方開口の第２邪魔板１０とを取り付け、この第１邪魔板９と第２邪魔板１０との間にはステンレス製で逆Ｕ字状に形成された補助熱交換器１１が備えられており、この補助熱交換器１１は排ガス中の潜熱回収により給水を加熱し、加熱後の流水を主熱交換器５に供給し給湯管１２から給湯するものである。
【００１３】
更に上記第１邪魔板９と熱交ケース８の一側壁との間の下方にはサイレンサ６からの排ガスの流入口１３が形成され、この流入口１３から排気口７までの間には第１邪魔板９と第２邪魔板１０とで排ガスの蛇行路１４が形成されており、補助熱交換器１１はこの蛇行路１４の途中に備えられているものである。
【００１４】
又熱交ケース８の下部で第１邪魔板９と熱交ケース８の他側壁との間には、補助熱交換器１１から発生する強酸性のドレン水を中和する酸化カルシウムの粒剤から成る中和剤１５を充填した中和部１６が設けられ、熱交ケース８内で補助熱交換器１１と中和部１６とを一体に構成したものであり、更に中和部１６で第２邪魔板１０の下流側には、充填された中和剤１５の高さより稍低い仕切板１７を備え、上流側中和部１８と下流側中和部１９とに区画し、仕切板１７上方には第２邪魔板１０の下方を通過する排ガスによって吹き飛ばされるドレン水を受けて上流側中和部１８に戻す逆くの字状のドレン受板２０が設けられている。
【００１５】
２１は下流側中和部１９の最下流の上部に開口された中和したドレン水を排出する排水口で、逆Ｌ字状のカバー板２２で覆われ下部には連通部２３が形成されている。
２４は排水口２１に接続された排水管で、一般の下水に中和されたドレン水を排水するものである。
【００１６】
次にこの一実施形態の作動について説明する。
今適宜箇所の給湯栓（図示せず）が開栓されて給湯が開始されると、燃焼ファン３が駆動し燃焼バーナ２が燃焼を開始し、この燃焼で発生した排ガスが燃焼室４からサイレンサ６に入り消音された後、熱交ケース８に流入するものである。
【００１７】
そしてこの熱交ケース８内では、流入口１２から熱交ケース８内に流入した排ガスは、第１邪魔板９と第２邪魔板１０により形成された蛇行路１３を通ることで、補助熱交換器１１の外周を上方から下方へと流通して、補助熱交換器１１内を流通する給水と熱交換し排気口７から排気されるものである。
【００１８】
この補助熱交換器１１で温度上昇した温水は、主熱交換器５に流入しここで燃焼バーナ２の燃焼で発生した排ガスとの熱交換で更に加熱されて、給湯として給湯栓から出湯されるものであり、この時の燃焼バーナ２の燃焼量（火力）は、主熱交換器５を出た給湯管１２に備えられた給湯サーミスタ（図示せず）で温水温度を検知し、この温度が使用者自身が設定する給湯設定温度になるように調節されるものである。
【００１９】
次に熱交ケース８内で、補助熱交換器１１内を流通する給水と排ガスとの潜熱回収で発生したドレン水は、補助熱交換器１１の外周壁から熱交ケース８内の下部の上流側中和部１８に直接落下し、ここに充填された酸化カルシウムから成る中和剤１５で中和され、その後、上流側中和部１８が満杯となり中和も十分行われたドレン水は、仕切板１７を乗り越えて同じく中和剤１５が充填された下流側中和部１９に流入し、ここで更に中和が促進されてＰＨが十分低下し、カバー板２２の下部の連通部２３から徐々に上昇して排水口２１より通常の排水路に排水されるものである。
【００２０】
又このようにドレン水を発生させる補助熱交換器１１と、このドレン水を中和する中和部１６とを１つの熱交ケース８内に備えたことで、この２つをつなぐ捕集部や連結部が不用となり、安価で経済的であると共に、ドレン水の漏れの心配もなく安心で且つ確実に中和出来るものであり、更に補助熱交換器１１からの放熱を受けて中和剤１５が加熱されることで、中和効率が良くなり効率の良い中和を行うことが出来、しかも捕集部や連結部がなく熱交ケース８のみで良いから、取扱いも容易であり場所も取らず、器具全体もコンパクトになるものである。
【００２１】
更に熱交ケース８内の第２邪魔板１０下方の蛇行路１３では、上向きの排ガスの送風により上流側中和部１８に満杯状に貯留されたドレン水が、吹き飛ばされる現象が発生するものであるが、丁度吹き飛ばされる先にはドレン受板２０が備えられているので、この逆くの字状のドレン受板２０で飛ばされたドレン水を受け、傾斜を利用して自然落下で上流側中和部１８に戻し、十分に中和しないドレン水が直ぐに排水される不具合を阻止して、常に安心して使用出来るようにしたものである。
【００２２】
尚、前記の熱交ケース８はドレン水の漏れを防止する構成として、絞り加工や外側からの溶接等で構成したものである。
【符号の説明】
【００２３】
２  燃焼バーナ
３  燃焼ファン
５  主熱交換器
７  排気口
８  熱交ケース
１１  補助熱交換器
１２  流入口
１５  中和剤
１６  中和部
１８  上流側中和部
１９  下流側中和部
【図１】
2010276226.tif 000003
【図２】
2010276226.tif 000004